(57)【特許請求の範囲】
【請求項１】
１本の線材を折り曲げて一筆書き状の構成となるように、端部同士を接合してなる歯ブラシスタンドであって、３点以上の点状で接する３つ以上の接点部を有するスタンド部と、設置面に対し水平なコの字型又は半円型の歯ブラシを引掛ける歯ブラシホルダー部と、正面差込口側とは反対の奥側の接点部から立ち上がる歯ブラシホルダーを支える線材を設け、さらに前記歯ブラシホルダー部の差込口は平面視ハの字型で且つ上方に隆起する隆起部を備えたことを特徴とする歯ブラシスタンド。
【請求項２】
前記点状の接点部と接点部の間には、歯磨きチューブを載せるための歯磨きチューブ収容用の左右同じ高さの曲部Ｕ字型の線材歯磨きチューブホルダーを設けたことを特徴とする請求項１記載の歯ブラシスタンド。
【請求項３】
前記歯ブラシホルダー部の差込口は平面視ハの字型で且つ上方に隆起する隆起部を備え、前記隆起部は前記差込口の開口側からなだらかに隆起し、歯ブラシを保存するホルダー部前部は直ぐ上に隆起するように形成されていることを特徴とする請求項１記載の歯ブラシスタンド。
【発明の詳細な説明】
【技術分野】
【０００１】
本発明は、線材のみで構成する歯ブラシスタンドに関するものである。
【背景技術】
【０００２】
歯ブラシを持っている人ならだれしもが歯磨きをした経験があり、食後の歯磨きを習慣として推進している。幼児から始め死ぬまで食事と同じように続けなければならない、しかし毎日目にして使っている歯ブラシを備え付けの洗面台の中にある歯ブラシホルダーに保持するか、また市販の歯ブラシ立てを家族の各人が歯ブラシを専用の穴に柄を下にして鉛筆立てのように納め、洗面台の空いている処あるいはタオル等の収納BOXの上に配置して利用している。
特開２００５‐３０４８７８号に係る「歯ブラシ類のホルダー具」は、一本の小枝状支持杆と接続されたホルダー本体に連接されたホルダー具に歯ブラシの軸部を保持することで歯ブラシ本体を清潔に保てる。
実開平０６−０２９４８３号に係る「歯ブラシ・歯磨きチューブ・コップの歯磨きセット棚」は、線材による歯磨き粉チューブとコップ立てそして歯ブラシ掛けを有する歯磨きセット棚は、清潔感があり歯ブラシだけを見ると清潔に保てる。
【先行技術文献】
【特許文献】
【０００３】
【特許文献１】特開２００５‐３０４８７８号
【特許文献２】実開平０６−０２９４８３号
【発明の概要】
【発明が解決しようとする課題】
【０００４】
このように、特許文献１「歯ブラシ類のホルダー具」は、小枝状支持杆に接続されたホルダー本体は、歯ブラシを固定するために歯ブラシの軸部を抜き差し自在に受け入れ、差込時に弾力的に挟みつけ状に保持する複数対の挟持杆を有するためホルダー本体の機能及び突起物があるので使用を重ねる間にホルダー本体に水垢等が溜まるので清掃が必要であり、歯ブラシ以外の糸ようじ・指輪等の装飾品も利用可能だが衛生面で疑問が残る。特許文献２「歯磨きセット棚」は、線材による歯磨きセット棚は従来にない考案であるがセットにすることでそれぞれの機能が隣接し、何か一つを取るときに接触あるいは振動で歯ブラシが落下することもある。そして歯を磨くだけの行為のために歯磨きセット棚を組み立てるわけだが、特許文献１．２は設置面積が狭くて使用している間に「ホルダー具・セット棚」転倒または落下するおそれが多分にある。これらは、組み立て式で便利なようだが部品の結合部分に凹凸があるので清掃等の手入れが必要であり、それぞれの特許文献は吸盤で配置を決めるために場所が限られ、子供がいる家庭では低い場所に配置となり歯ブラシの出し入れの時にホルダー本体・歯磨きセット棚に直接力がかかり転倒または落下するおそれがある。また吸盤の性能からも垂直に引っ張る力には耐えられても横からの力には劣る場合がある。そして、吸盤の周りを清掃する場合に位置を変えたりする際に設置している装飾品また歯ブラシ等を落としたりすることも考えなければならない。
特許文献１．２の歯ブラシ類のホルダーと歯磨きセット棚の歯ブラシ掛けの歯ブラシは乾燥して清潔に保てるが、本体自体が不安定であり使用している時はほとんど動かさない状態で配置しているので、移動する時は付属品が多く設置場所を選び確認した後に移動するため大変に不便である。本来発明の目的は従来の使用している歯ブラシ立てが不衛生的であったために新しい歯ブラシスタンドの考案・発明に至った訳で、清潔を第一に考え出
された技術は歯ブラシだけが清潔でも歯ブラシを支える本体の使い勝手が悪いのは本末転倒である。
本発明は、歯ブラシを清潔に保存し歯ブラシスタンドが、ほとんど汚れない構成で成り立ち加えてどこにでも配置ができ安価に提供すること。
【課題を解決するための手段】
【０００５】
本発明は、ステンレス鋼線材または色付き鋼線材（鋼線に色付きビニール等でコーティングされた材）その他の線材を使い、安定を置くための点状で接する３接点以上の歯ブラシスタンドは下段のスタンド部からなる。
【０００６】
本発明の、４つの点状の接点スタンドは設置場所を大きくしないために４接点の設置点は台形の配置となり前方正面の接点２Ａ・２Ｂは広くし後方の接点２Ｃ・２Ｄの狭くした構成となる。さらに、接点の間の線材は設置床面には全く触れていない。
【０００７】
本発明は、複数の歯ブラシを引掛けるための設置床面に対し水平なコの字型又は半円型３Ｂの複数歯ブラシホルダー部３を歯ブラシスタンド上段に有する歯ブラシスタンドであり、水平のコの字型又は半円型３Ｂの歯ブラシホルダー部３は前方（接点２Ａ・２Ｂ）正面より歯ブラシの出し入れとなり、歯ブラシ差込口は平面視ハの字型で且つ上方に隆起する隆起部３Ａを備えることで歯ブラシの出し入れがしやすくなり落下防止となる。
【０００８】
本発明は、歯ブラシスタンドの安定を増すための下段に歯磨きチューブ４を載せるＵ字型の線材歯磨きチューブホルダー二カ所を有する。
【０００９】
本発明は、１本の線材を折り曲げて一筆書き状で構成し完成したことで、従来から使用している歯ブラシスタンドと比較にならない程の清潔を特徴とする歯ブラシスタンドである。
【発明の効果】
【００１０】
本発明は、１本の線材を折り曲げて一筆書き状で構成し完成したことで、物が当たって変形しても柔軟性があるので簡単に直せて現状を保つ。
【００１１】
本発明は、ステンレス鋼線材または色付き鋼線材その他の線材１の１本からなる完成品で他の結合部品等が全くなく、端部同士を結合してなる線材のみで構成する歯ブラシスタンド。安定を置くための設置面は点状で接する３点以上の接点部からなり、周囲からの汚れがほとんど付きにくく使用できるので清掃が大変に簡略化できる。
【００１２】
本発明の、線材のみで構成する歯ブラシスタンドは設置床面に対し水平のコの字型又は半円型３Ｂの歯ブラシホルダー部３を歯ブラシスタンド上段に有する歯ブラシスタンドであり、歯ブラシホルダー部３は前方（接点２Ａ・２Ｂ）正面より歯ブラシの出し入れとなり、歯ブラシ差込口は平面図ハの字型で且つ上方に隆起する隆起部３Ａを備えることで歯ブラシの出し入れがしやすくなり、保存中の歯ブラシの落下防止となる構成にしたことを特徴とする歯ブラシスタンド。
【００１３】
本発明は、設置場所のさまざまな形態に合わせられるように４つの点状の接点スタンドを、図５の歯ブラシスタンドのように歯ブラシホルダーを支える２本２Ｃ・２Ｄの上向きに立つ線材６は４つの接点スタンド部２Ａ・２Ｂ・２Ｃ・２Ｄの中心内側に傾けて上段部分で歯ブラシホルダー３がつながる歯ブラシスタンド。このように正面前方に配置されていた歯ブラシホルダー３を後方置に下げることで歯ブラシスタンドの背面空間が狭まり設置場所の効果的配置が可能となる歯ブラシスタンド図１の変形した歯ブラシスタンド。
【００１４】
本発明は、見た目やお洒落デザインを好む市場のためシンプルを一番に、ステンレス鋼線材（シルバー色）または色付き鋼線材その他の線材を使用し折り曲げて一筆書きで構成し完成した線材のみの歯ブラシスタンドでありシンプルであるため違和感なく洗面室に溶け込む。
【図面の簡単な説明】
【００１５】
【図１】４接点で構成した歯ブラシスタンドの斜視図である
【図２】図１のスタンドに歯ブラシと歯磨きチューブを設置の斜視図である
【図３】３接点で構成した歯ブラシスタンドの斜視図である
【図４】図３のスタンドに歯ブラシと歯磨きチューブを設置の斜視図である
【図５】図１のスタンドを変形した歯ブラシスタンドの斜視図である
【図６】図１の平面図
【図７】図１の正面図
【図８】図１の右側面図
【図９】図３の平面図
【図１０】図３の正面図
【図１１】図３の右側面図
【図１２】図５の平面図
【発明を実施するための形態】
【実施例】
【００１６】
本発明は、図１に示すように結合部品が全く無くシンプルで下段のスタンド部の接点２も小さくて接点の箇所も少ないので、周囲からの汚れがほとんど付きにくく使用でき長期に亘って汚れにくく洗い清掃等が最小限で済む最適な形で提供するものである。また、４つの接点（２Ａ・２Ｂ・２Ｃ・２Ｄ）図３の３つの接点（２Ｅ・２Ｆ・２Ｇ）の設置点以外の線材は床面には全く触れていない。
【００１７】
本発明の、図１はステンレス鋼線材または色付き鋼線材その他の線材１の１本を使用し折り曲げて一筆書き状の構成からなり、清潔重視の歯ブラシスタンドであり安定を置くための４つの接点２のスタンド部からなる歯ブラシスタンドであり、下段空間に歯磨きチューブ４を載せる歯磨きチューブ収容用の左右同じ高さの曲部Ｕ字型４Ｕの線材歯磨きチューブホルダーを設けて歯ブラシスタンドの安定感を増す構成とする。
【００１８】
本発明は、１本の線材みの歯ブラシスタンドであり端部同士を結合してなる線材のみで構成する歯ブラシスタンドで、シンプルであるため違和感なく洗面室に溶け込む。
【００１９】
本発明の、図１は線材１の１本を折り曲げて一筆書き状の構成からなり軽量のために、歯ブラシスタンドのバランスが重要となり歯ブラシを設置した状態の歯ブラシスタンドのバランスを考え、歯ブラシホルダーを支える２本の上向きに立つ線材６は４つの接点スタンド部２Ａ・２Ｂ・２Ｃ・２Ｄの中心内側（図６平面図・図７正面図・図８右側面図）に傾け、上段部分で歯ブラシホルダー３がつながる。また、４つの接点部の中心内側に歯ブラシホルダー３を設けることで歯磨きチューブ４が無くても安定感が確保できる。
【００２０】
本発明の、図１の歯ブラシホルダー３は正面前方に配置されている完成品であるが、設置場所のさまざまな形態に合わせられるように４つの点状の接点歯ブラシスタンドを、図５の歯ブラシスタンドのように歯ブラシホルダーを支える２本２Ｃ・２Ｄの上向きに立つ線材６は４つの接点スタンド部２Ａ・２Ｂ・２Ｃ・２Ｄの中心内側に傾けて上段部分で歯ブラシホルダー３がつながる歯ブラシスタンド。このように歯ブラシホルダー３を後方置に下げた完成品にすることで歯ブラシスタンドの背面空間が狭まり設置場所の効果的配置が可能となる歯ブラシスタンド図１の変形した歯ブラシスタンド。
【００２１】
設置床面に対して水平なコの字型又は半円型３Ｂ歯ブラシホルダー部３に示すよう。前方正面からの歯ブラシ差込口は平面視ハの字型で且つ上方に隆起する隆起部３Ａを備えた歯ブラシホルダー部３となり、歯ブラシを入れる際はハの字のように手前が広くなっているのでホルダー部の挿入が容易になる。そして保存の歯ブラシは隆起部があるので持ち上げて前方に出さない限り落下しにくいので、歯ブラシの出し入れの際に隣の歯ブラシに接触しても落下しにくくなる特徴を備えている。また、水平なコの字型又は半円型３Ｂ歯ブラシホルダー部３のホルダースペース３Ｂは歯ブラシの落下防止のために、歯ブラシ本体のくびれた箇所の柄の幅及び厚みのサイズに近づけた構成となり、歯ブラシの柄の厚みが平たい柄のものは歯ブラシホルダーの上部からの差込は可能だが、昨今の歯ブラシの柄の形状は握りやすい厚みのある楕円系が多くよって落下防止対策としてホルダー部３ホルダー部５のホルダースペースは同じ形状でなり、歯ブラシのホルダースペース３Ｂは歯ブラシ本体のくびれた箇所のサイズに近づけた構成となるために、前方正面からの出し入れが好ましい。
【００２２】
本発明の、図３はステンレス鋼線材または色付き鋼線材その他の線材の１本を使用し折り曲げて一筆書き状の構成からなり、清潔重視の歯ブラシスタンドをシンプルに構成した３つの点状の接点スタンド部２Ｅ・２Ｆ・２Ｇの歯ブラシスタンドであり、歯ブラシスタンドの下段空間に歯磨きチューブ４を載せる歯磨きチューブ収容用の左右同じ高さの曲部Ｕ字型４Ｕの線材歯磨きチューブホルダーを設けて歯ブラシスタンドの安定感を増す構成とする。
【００２３】
本発明の、図３は図１の４接点の歯ブラシスタンドよりバランスが重要となり歯ブラシを設置した状態の歯ブラシスタンドのバランスを考え、歯ブラシホルダー部５を支える２本の上向きに立つ線材６は３つの接点部２Ｅ・２Ｆ・２Ｇの中心内側（図９平面図・図１０正面図・図１１右側面図）に傾けて立ち、上段部分で歯ブラシホルダー部５の五角形がつながる。また、３つの接点部の中心内側に歯ブラシホルダー５を設けることで歯磨きチューブ４が無くても安定感が確保できる。
【産業上の利用可能性】
【００２４】
家族になれば洗面台のケースの中にあるホルダーか、また市販の歯ブラシ立てを共有している。しかし、長期に亘って使用していると気づかないうちに歯ブラシの柄を水滴が伝わって水垢・カビ等が歯ブラシスタンドの底面に広がっていることがある。
この様に、汚れに気づいて洗い清掃を経験した人も多いはず、歯ブラシを使っているだけで掃除の仕事が増えるので従来の歯ブラシスタンドの代わりに使用できる。
【符号の説明】
【００２５】
１    １本の線材
２    設置面のスタンド部
３    水平な歯ブラシホルダー部  
４    歯磨きチューブ
５    五角形の歯ブラシホルダー部
６    歯ブラシホルダーを支える線材
２Ａ  ４接点の前方設置点
２Ｂ  ４接点の前方設置点
２Ｃ  ４接点の後方設置点
２Ｄ  ４接点の後方設置点
２Ｅ  ３接点の設置点
２Ｆ  ３接点の設置点
２Ｇ  ３接点の設置点
３Ａ  ホルダースペースの差込口ハの字型の隆起部
３Ｂ  コの字型又は半円型のホルダースペース
３ア  ホルダースペース平面図
３イ  ホルダースペース正面図
３ウ  ホルダースペース右側面図
４Ｕ  Ｕ字型歯磨きチューブホルダー
【要約】      （修正有）【課題】歯ブラシを清潔に保存し歯ブラシスタンドが、ほとんど汚れない構成で成り立ち加えてどこにでも配置ができ安価に提供する。【解決手段】１本の線材１のみで構成する歯ブラシスタンドはステンレス鋼線材または色付き鋼線材その他の線材を折り曲げて一筆書きの加工構成からなり、先行技術文献のような結合部品は全くなく構成する部品点数は線材１点のみであるので製造コスト的に有利なものとなる。【選択図】図１【図１】
0005129403.tif 000002
【図２】
0005129403.tif 000003
【図３】
0005129403.tif 000004
【図４】
0005129403.tif 000005
【図５】
0005129403.tif 000006
【図６】
0005129403.tif 000007
【図７】
0005129403.tif 000008
【図８】
0005129403.tif 000009
【図９】
0005129403.tif 000010
【図１０】
0005129403.tif 000011
【図１１】
0005129403.tif 000012
【図１２】
0005129403.tif 000013